(57)【要約】      （修正有）【課題】簡単な構造で組み立てが容易であり、緩衝効果が高い緩衝機能付包装用箱を提供する。【解決手段】１枚のブランクシートから一体的に打ち抜かれた箱体形成片からなる箱体と、１枚のブランクシートから一体的に打ち抜かれた仕切形成片からなり、箱体の内側に入れられる仕切部材１４を備える。仕切部材１４は、四角筒体に組み立てられる４つの側面と、四角筒体の互いに平行に位置する一対の側面の中間を通過して四角筒体の内側を一方向に２分割する中央仕切り５８を有する。中央仕切り５８の両側に形成され、中央仕切り５８に対して平行な一対の側面との間の空間を、中央仕切り５８に沿って複数個に分割する仕切片４２，６８を備える。中央仕切り５８と仕切片４２，６８は、包装される商品の互いに当接する表面同士をさえぎる。【選択図】図１
0003170812.tif 000002
【実用新案登録請求の範囲】
【請求項１】
１枚のブランクシートから一体的に打ち抜かれた箱体形成片からなる箱体と、１枚のブランクシートから一体的に打ち抜かれた箱体形成片からなり前記箱体の内側に入れられる仕切部材が設けられ、
前記仕切部材は、四角筒体に組み立てられる４つの側面と、前記四角筒体の互いに平行に位置する一対の側面の中間を通過して前記四角筒体の内側を一方向に２分割する中央仕切りと、前記中央仕切りの両側に形成され前記中央仕切りに対して平行な前記一対の側面との間の空間を前記中央仕切りに沿って複数個に分割する仕切片が設けられ、
前記中央仕切りと前記仕切片は、包装される商品の互いに当接する表面同士をさえぎる大きさに設定されていることを特徴とする緩衝機能付包装用箱。
【請求項２】
前記箱体は、箱体を形成する４つの側面を有し、前記箱体の内側に前記四角筒体に組み立てられる前記４つの側面を有する前記仕切部材を入れ、前記箱体の前記側面の裏面に前記仕切部材の前記側面が位置する二重壁が形成される請求項１記載の緩衝機能付包装用箱。
【請求項３】
前記仕切部材は、前記一側面の連接方向に平行な一方の側縁部に一対の仕切構成部が順番に並んで互いに連接して設けられ、
前記仕切構成部には、前記中央仕切りに重ねられる連結部と、折罫線と切込線で周囲から区切られ組立時に前記連結部に対して略直角に立ち上がる複数個の仕切片と、前記中央仕切りに対して略平行な前記側面の裏面に各々糊付けされる糊付け部が設けられ、前記仕切構成部には、一方の端部に、前記中央仕切りに対して略直角な前記側面に糊付けされる糊付片が設けられ、前記４つの側面を互いに直角に引き起こすと、ワンタッチで各仕切片が引き起こされる請求項１記載の緩衝機能付包装用箱。
【請求項４】
前記箱体は、組立状態で対向する一対の前記側面の下縁に底フラップ片が設けられ、その他の前記側面の下縁に前記底フラップ片に貼着され、組立時に互い違い状態に重ねられて底を形成する一対の底蓋片が各々設けられ、
前記底蓋片の前記側面から離れた端部には、前記箱体を組み立てたとき前記底蓋片から略直角に立ち上がる立上片と、前記立上片の端部に連接され前記立上片から略直角に折り曲げられ前記底蓋片に対して平行に位置する内底片と、前記内底片の端部に連接され前記底蓋片が連接された前記側面に糊付けされる糊付け部が設けられ、
前記４つの側面を互いに直角に引き起こすと、ワンタッチで一対の前記底蓋片が組み立てられ、前記内底片が前記各底蓋片に対して平行に位置して二重底が形成される請求項１又は２記載の緩衝機能付包装用箱。
【請求項５】
前記仕切部材の前記中央仕切りは、前記中央仕切りが平行に位置する一対の前記側面よりもわずかに小さい形状であり、前記仕切部材の前記四角筒体の内側をさえぎる面積で区切っている請求項３記載の緩衝機能付包装用箱。
【請求項６】
前記仕切部材の前記仕切片は、立体に組み立てられた状態で、前記中央仕切り側の端部は上下方向上方に位置し前記側面側の端部は上下方向下方に位置するＳ字状の形状であり、
前記中央仕切りに連続する上端の形状は略水平な直線部分を有し、前記直線部分の長さは前記中央仕切りと前記側面の間隔の中間位置よりも長く形成されるとともに、前記直線部分の長さは、前記中央仕切りと前記側面の間隔の中間位置で、前記仕切片の垂直方向の長さがほぼ最大になる形状である請求項３記載の緩衝機能付包装用箱。
【考案の詳細な説明】
【技術分野】
【０００１】
この考案は、包装用箱の内部空間を区分する仕切りを有する緩衝機能付包装用箱に関する。
【背景技術】
【０００２】
従来、紙製の１枚のブランクシートから一体に打ち抜かれた箱体形成片を組み立てた包装用箱には、包装用箱の内部空間を区分し、収容する製品どうしがぶつかっても破損しないようにする仕切りが設けられた緩衝機能付包装用箱がある。収容する商品は、例えばガラス瓶に入れられた高価な医薬品等であり、このような商品を収容するため高い緩衝効果を有する包装用箱が望まれている。このような緩衝機能付包装用箱には、外側の箱体と内側の仕切部材が、一体のものと、別体のものがある。
【０００３】
箱体と仕切部材が一体のものとして、例えば特許文献１の中仕切付包装箱がある。この中仕切付包装箱は、箱体を形成する４つの側面を有し、組立状態で対向する一対の側面の下縁に底フラップ片が設けられ、その他の側面の下縁に前記底フラップ片に貼着され組立時に互いに食い違い状態に重ねられて底を形成する一対の底板が設けられている。底板が設けられている一対の側面の上縁には、側面の内面に重合貼着する補強板が設けられ、補強板の端部には中央仕切壁が設けられている。中央仕切壁には、垂直折目とＳ字状切断線により組立時に起立して区切壁となる仕切片が複数個形成されている。一対の仕切り壁の上縁相互は貼着されている。この中仕切付包装箱を組み立てたとき、箱体の中心に沿って中央仕切壁が位置し、中央仕切壁の両側に区切片が立ち上がり、複数個の収納空間が形成されるものである。
【０００４】
箱体と仕切部材が別体に設けられているものとしては、例えば特許文献２の収納箱の中仕切りがある。この中仕切りは、２つの縦仕切り板と１つの横仕切り板とを組み合わせた仕切体と、横仕切り板の上縁に連接された四角筒状の角筒体が設けられている。この四角筒体は、上からの押圧により、折り曲げ角度が変化することで変形し、連接された横仕切り板の両側に広がるように形成されている。この中仕切りは、別体の収納箱に入れて使用するものである。
【先行技術文献】
【特許文献】
【０００５】
【特許文献１】実公平４−４７０５７号公報
【特許文献２】特開２００８−２３９１７１号公報
【考案の概要】
【考案が解決しようとする課題】
【０００６】
上記背景技術の場合、特許文献１の中仕切付包装箱は、外側の箱体と内側の仕切片が一体であり、各片の寸法取りの関係から、仕切片の大きさが十分に取れず、内容物どうしがぶつかることがあった。このため十分な緩衝効果を得ることができなかった。また、特許文献２の収納箱の中仕切りは、ワンタッチで組み立てることができず、組み立てに手間がかかるものであった。さらに側面から受ける衝撃は考慮されておらず、側面の緩衝効果が低いものであった。
【０００７】
この考案は、上記背景技術の問題点に鑑みてなされたものであり、簡単な構造で組み立てが容易であり、緩衝効果が高い緩衝機能付包装用箱を提供することを目的とする。
【課題を解決するための手段】
【０００８】
本考案は、１枚のブランクシートから一体的に打ち抜かれた箱体形成片からなる箱体と、１枚のブランクシートから一体的に打ち抜かれた箱体形成片からなり前記箱体の内側に入れられる仕切部材が設けられている緩衝機能付包装用箱である。前記仕切部材は、四角筒体に組み立てられる４つの側面と、前記四角筒体の互いに平行に位置する一対の側面の中間を通過して前記四角筒体の内側を一方向に２分割する中央仕切りと、前記中央仕切りの両側に形成され前記中央仕切りに対して平行な前記一対の側面との間の空間を前記中央仕切りに沿って複数個に分割する仕切片が設けられ、前記中央仕切りと前記仕切片は、包装される商品の互いに当接する表面同士をさえぎる大きさに設定されているものである。
【０００９】
前記箱体は、箱体を形成する４つの側面を有し、前記箱体の内側に前記四角筒体に組み立てられる前記４つの側面を有する前記仕切部材を入れ、前記箱体の前記側面の裏面に前記仕切部材の前記側面が位置する二重壁が形成されるものである。
【００１０】
また、前記仕切部材は、前記一側面の連接方向に平行な一方の側縁部に第１仕切構成部と第２仕切構成部が順番に並んで互いに連接して設けられている。前記第１仕切構成部と前記第２仕切構成部には、前記中央仕切りに重ねられる連結部と、折罫線と切込線で周囲から区切られ組立時に前記糊付け部に対して略直角に立ち上がる複数個の仕切片と、前記中央仕切りに対して略平行な前記側面の裏面に各々糊付けされる糊付け部が設けられ、前記第１仕切構成部と前記第２仕切構成部には、一方の端部に、前記中央仕切りに対して略直角な前記側面に糊付けされる糊付片が設けられている。前記仕切部材は、前記４つの側面を互いに直角に引き起こすと、ワンタッチで各仕切片が引き起こされるものである。
【００１１】
前記箱体は、組立状態で対向する一対の前記側面の下縁に底フラップ片が設けられ、その他の前記側面の下縁に前記底フラップ片に貼着され組立時に互い違い状態に重ねられて底を形成する一対の底蓋片が各々設けられている。前記底蓋片の前記側面から離れた端部には、前記箱体を組み立てたとき前記底蓋片から略直角に立ち上がる立上片と、前記立上片の端部に連接され前記立上片から略直角に折り曲げられ前記底蓋片に対して平行に位置する内底片と、前記内底片の端部に連接され前記底蓋片が連接された前記側面に糊付けされる糊付け部が設けられている。前記箱体は、前記４つの側面を互いに直角に引き起こすと、ワンタッチで一対の前記底蓋片が組み立てられ、前記内底片が前記各底蓋片に対して平行に位置して二重底が形成されるものである。
【００１２】
前記仕切部材の前記中央仕切りは、前記中央仕切りが平行に位置する一対の前記側面よりもわずかに小さい形状であり、前記仕切部材の前記四角筒体の内側をほぼさえぎる面積で区切っているものである。
【００１３】
また、前記仕切部材の前記仕切片は、立体に組み立てられた状態で、前記中央仕切り側の端部は上下方向上方に位置し前記側面側の端部は上下方向下方に位置するＳ字状の形状であり、前記中央仕切りに連続する上端の形状は略水平な直線部分を有し、前記直線部分の長さは前記中央仕切りと前記側面の間隔の中間位置よりも長く形成されるとともに、前記直線部分の長さは、前記中央仕切りと前記側面の間隔の中間位置で、前記仕切片の垂直方向の長さがほぼ最大になる形状である。
【考案の効果】
【００１４】
本考案の緩衝機能付包装用箱は、簡単な作業工程により組み立てられ、商品を個別に保護する仕切りが形成され、高い緩衝効果を得ることができ、確実に商品を保護することができるものである。組み立てるときはワンタッチで底部と仕切片が形成され、短時間で大量に生産することができる。しかも、二重の側面と二重の底部を有して外側からの衝撃を吸収し、仕切片と中央仕切りの形状は垂直方向に十分な長さに確保されて商品同士の接触を防ぐことができ、高い緩衝効果を有するものである。
【図面の簡単な説明】
【００１５】
【図１】この考案の一実施形態の緩衝機能付包装用箱の斜視図である。
【図２】この実施形態の緩衝機能付包装用箱の使用状態を示す斜視図である。
【図３】この実施形態の緩衝機能付包装用箱の仕切部材の展開図である。
【図４】この実施形態の緩衝機能付包装用箱の箱体の展開図である。
【考案を実施するための形態】
【００１６】
以下、この考案の実施形態について図面に基づいて説明する。図１〜図４はこの考案の一実施形態を示すもので、この実施形態の緩衝機能付包装用箱１０は、箱体１２と、箱体１２の内側にわずかなゆとりを有して入れられる仕切部材１４が別体に設けられている。
【００１７】
先ず、仕切部材１４について説明する。仕切部材１４は、厚紙等の１枚のブランクシートを打ち抜いて形成された仕切形成片１６を組み立てて形成されている。図３は、仕切形成片１６を表面からみた展開図であり、仕切形成片１６は、側面１８，２０，２２，２４が互いに平行に連接して形成されている。側面１８，２０，２２，２４は、連接している幅方向は同じ長さであり、連接方向の長さは側面１８，２２が長くて互いにほぼ等しく、側面２０，２４が短くて互いにほぼ等しい。側面１８の側縁部には、仕切部材１４の組立状態で側面２４の裏面に糊付けされる糊付片２６が設けられている。糊付片２６、側面１８，２０，２２，２４は、各々折罫線２８，３０，３２，３４で区切られている。
【００１８】
側面１８において、側面同士の連接方向に対して直角な方向の一端部には、第１仕切構成部３６が折罫線３８で区切られて設けられている。第１仕切構成部３６は、折罫線３８から反対側の端部までの長さは側面１８とほぼ同じであり、折罫線３８に平行な長さは側面１８よりも少し大きく形成され、一方の側縁部は折罫線３０の延長線上に近い位置であり、反対の側縁部は、折罫線２８よりも外側に位置している。
【００１９】
第１仕切構成部３６の、折罫線３８に近い部分と遠い部分を除く中央部分には、５本の折罫線４４が設けられている。折罫線４４は、図３において上下方向に設けられた直線であり、互いに等間隔に設けられている。一対の折罫線４４の間には、上下一対の切込線４６が設けられている。一方の切込線４６は、折罫線４４の図面上の上方の端部から、図面上右に位置する折罫線４４の中間位置に連続するＳ字状に形成され、他方の切込線４６は折罫線４４の中間位置から図面上右に位置する切込線４６の下方の端部に連続するＳ字状に形成されている。一対の折罫線４４と一対の切込線４６で囲まれたＳ字状の部分が仕切片４２となる。
【００２０】
仕切片４２の、上方及び下方に位置する切込線４６の端部は、折罫線３８にほぼ平行な直線であり、この直線部分の長さがＢは、一対の折罫線４４の間隔Ｃの半分の長さよりも長く形成されている。これにより、仕切片４２の形状は一対の折罫線４４の間隔の中間の位置付近で、仕切片４２の垂直方向の長さが最大となる形状となる。第１仕切構成部３６の仕切片４２よりも折罫線３８側の部分は、折罫線３８で側面１８の裏面に折り返されて糊付けされる糊付け部４０となる。第１仕切構成部３６の仕切片４２を挟んで糊付け部４０と反対側の部分は、仕切部材１４の組立状態で中央仕切り５８に重ねられる連結部４８となる。
【００２１】
第１仕切構成部３６の、糊付片２６側の側縁部には、組立状態で側面２４の裏面に糊付けされる糊付片５０が、折罫線５２で区切られて設けられている。第１仕切構成部３６の、糊付片５０と反対側の側縁部には、組立状態で側面２０の裏面に重ねられる側面５４が折罫線５６で区切られて設けられている。側面５４は、連接している幅方向は第１仕切構成部３６よりわずかに小さく、連接方向の長さは側面２０のほぼ半分の長さである。側面５４の折罫線５６と反対側の側縁部には、中央仕切り５８が折罫線６０で区切られて設けられている。中央仕切り５８は、側面１８，２２よりわずかに小さい形状である。
【００２２】
第１仕切構成部３６の、折罫線３８と反対側の端部には、第２仕切構成部６２が折罫線６４で区切られて設けられている。第２仕切構成部６２は、第１仕切構成部３６とほぼ同様であり、一方の側縁部は第１仕切構成部３６の図面上で一番右の端に位置する折罫線４４の延長線上に近い位置であり、反対の側縁部は、糊付片５０の側縁部の延長線上に近い位置である。第２仕切構成部６２の、折罫線６４に近い部分と遠い部分を除く中央部分には、５本の折罫線７０が設けられている。折罫線７０は、図３において上下方向に設けられた直線であり、互いに等間隔に設けられている。
【００２３】
一対の折罫線７０の間には、一対の切込線７２が設けられている。一方の切込線７２は、折罫線７０の図面上の上方の端部から、図面上右に位置する折罫線７０の中間位置に連続するＳ字状に形成され、他方の切込線７２は折罫線７０の中間位置から図面上右に位置する切込線４６の下方の端部に連続するＳ字状に形成されている。一対の折罫線７０と一対の切込線７２で囲まれたＳ字状の部分が仕切片６８となる。仕切片６８の、上方及び下方に位置する切込線７２の端部分は折罫線６４にほぼ平行な直線であり、この直線部分の長さがＢは、一対の折罫線７０の間隔Ｃよりも長く形成されている。これにより、仕切片６８の形状は一対の折罫線７０の間隔の中間の位置付近で、仕切片６８の垂直方向の長さが最大となる形状となる。
【００２４】
第２仕切構成部６２の仕切片６８よりも折罫線６４側の部分は、仕切部材１４の組立状態で中央仕切り５８に重ねられる連結部６６となる。第２仕切構成部６２の仕切片６８を挟んで連結部６６と反対側の部分は、側面２２の裏面に糊付けされる糊付け部７４となる。
【００２５】
第２仕切構成部６２の、側面５４側の側縁部には、組立状態で側面２０の裏面に糊付けされる糊付片７６が、折罫線７８区切られて設けられている。
【００２６】
次に、仕切部材１４の組立方法の一例について説明する。なお、ここでは図３が仕切部材１４の仕切形成片１６の表面を見たものであり、仕切形成片１６の表面が凸になる折り方を正折り、そして裏面が凸になる折り方を逆折りと称する。
【００２７】
まず、第１仕切構成部３６の糊付け部４０の裏面に糊８０を塗布し、折罫線３８を正折りし、糊付け部４０の裏面を側面１８の裏面に糊付けする。次に折罫線５６を逆折りして中央仕切り５８を第１仕切構成部３６に重ね、さらに折罫線６４を逆折りして第２仕切構成部６２を中央仕切り５８に重ねる。そして、第２仕切構成部６２の糊付け部７４の裏面に糊８２を塗布し、糊付片７６の裏面に糊８４を塗布し、折罫線３０を正折りし、糊付け部７４を側面２２に、糊付片７６を側面２０に糊付けする。次に、糊付片５０の裏面に糊８６を塗布し、糊付片２６の表面に糊８８を塗布し、折罫線３４を正折りして、糊付片５０，２６を側面２４の裏面に糊付けする。これにより仕切形成片１６は折り畳み状態となり、この状態で商品を収容する工場等へ出荷される。
【００２８】
次に、緩衝機能付包装用箱１０の箱体１２について説明する。箱体１２は、厚紙等の１枚のブランクシートを打ち抜いて形成された箱体形成片９０を組み立てて形成されている。図４は、箱体形成片９０を表面からみた展開図であり、箱体形成片９０は、側面９２，９４，９６，９８が互いに平行に連接して形成されている。側面９２，９４，９６，９８は、連接している幅方向は同じ長さであり、連接方向の長さは側面９２，９６が長くて互いにほぼ等しく、側面９４，９８が短くて互いにほぼ等しい。側面９２の側縁部には、箱体１２の組立状態で側面９８の裏面に糊付けされる糊付片１００が設けられている。糊付片１００、側面９２，９４，９６，９８は、各々折罫線１０２，１０４，１０６，１０８で区切られている。
【００２９】
側面９２において、側面同士の連接方向に対して直角な方向の一端部には、上蓋片１１０が折罫線１１２で区切られて設けられている。上蓋片１１０の折罫線１１２の反対側の端部には、さらに差込片１１４が折罫線１１６で区切られて設けられている。
【００３０】
側面９２の、折罫線１１２と反対側の端部には、第１底蓋片１１８が折罫線１２０で区切られて設けられている。第１底蓋片１１８の折罫線１２０と反対側の端部１１８ａは、折罫線１２０に対して平行な直線部分と傾斜した部分とから成る。第１底蓋片１１８の、折罫線１０４に近い部分は、折罫線１０４と折罫線１２０の交点から、折罫線１２０から離れるに従い折罫線１０４の延長線上から離れる傾斜した直線であり、この直線部分には、三角形状の糊付け部１２２が折罫線１２４で区切られて設けられている。第１底蓋片１１８の、折罫線１０２に近い部分は、折罫線１０２と折罫線１２０の交点から折罫線１０２の延長線上に沿って端部１１８ａに達している。端部１１８ａの中間の位置は、折罫線１２０に近付くように三角形状に切り欠かれ、折罫線１２０から、切り欠かれた頂点までの長さは、箱体１２の組立状態で底面の中心線付近に位置する長さ、つまり側面９４，９８の半分の幅に設けられている。
【００３１】
第１底蓋片１１８の端部１１８ａの直線の部分、つまり三角形状に切り欠かれた部分よりも折罫線１０２に近い部分には、立上片１２６が折罫線１２８で区切られて設けられている。立上片１２６は、折罫線１２８に平行な方向に長い薄形の矩形である。立上片１２６の折罫線１２８と反対側の端部には、内底片１３０が折罫線１３２で区切られて設けられている。内底片１３０は、変形した台形であり、折罫線１３２を上底として、折罫線１３２に対して平行な端部は折罫線１３２よりも長い下底となる。内底片１３０の端部には、矩形の糊付け部１３３が折罫線１３４で区切られて設けられている。
【００３２】
側面９４の、側面９２の折罫線１１２に連接する端部には、台形状の上フラップ１３６が折罫線１３８で区切られて設けられている。側面９４の、折罫線１３８と反対側の端部には、台形状の底フラップ１４０が折罫線１４２で区切られて設けられている。
【００３３】
側面９６の、側面９４の折罫線１３８に連接する端部９６ａの中央付近には、矩形の糊付け片１４４が設けられている。糊付け片１４４は、端部９６ａに対して直角に位置する一対の破断線１４６と、一対の破断線１４６の先端どうしを結ぶ長い透孔１４８で囲まれ、周囲から区切られている。
【００３４】
側面９６の、端部９６ａと反対側の端部には、第２底蓋片１５０が折罫線１５２で区切られて設けられている。第２底蓋片１５０の折罫線１５２と反対側の端部１５０ａは、折罫線１５２に対して平行な直線部分と傾斜した部分とから成る。第２底蓋片１５０の、折罫線１０８に近い部分は、折罫線１０８と折罫線１５２の交点から、折罫線１５２から離れるに従い折罫線１０８の延長線上から離れる傾斜した直線であり、この直線部分には、三角形状の糊付け部１５４が折罫線１５６で区切られて設けられている。第２底蓋片１５０の、折罫線１０６に近い部分は、折罫線１０６と折罫線１５２の交点から折罫線１０６の延長線上に沿って端部１５０ａに達している。端部１５０ａの中間の位置は、折罫線１５２に近付くように三角形状に切り欠かれ、折罫線１５２から切り欠かれた頂点までの長さは、箱体１２の組立状態で底面の中心線付近に位置する長さ、つまり側面９４，９８の半分の幅に設けられている。
【００３５】
第２底蓋片１５０の端部１５０ａの直線の部分、つまり三角形状に切り欠かれた部分よりも折罫線１０６に近い部分には、立上片１５８が折罫線１６０で区切られて設けられている。立上片１５８は、折罫線１６０に平行な方向に長い薄形の矩形である。立上片１５８の折罫線１６０と反対側の端部には、内底片１６２が折罫線１６４で区切られて設けられている。内底片１６２は、変形した台形であり、折罫線１６４を上底として、折罫線１６４に対して平行な端部は折罫線１６４よりも長い下底となる。内底片１６２の端部には、矩形の糊付け部１６６が折罫線１６８で区切られて設けられている。
【００３６】
側面９８の、側面９６の端部９６ａに連接する端部には、台形状の上フラップ１７０が折罫線１７２で区切られて設けられている。側面９８の、折罫線１７２と反対側の端部には、台形状の底フラップ１７４が折罫線１７６で区切られて設けられている。
【００３７】
次に、箱体１２の組立方法の一例について説明する。なお、ここでは図４が箱体１２の箱体形成片９０の表面を見たものであり、箱体形成片９０の表面が凸になる折り方を正折り、そして裏面が凸になる折り方を逆折りと称する。
【００３８】
まず、糊付け部１３３，１６６の裏面に糊１７８，１８０を塗布し、折罫線１２８，１６０を正折りし、糊付け部１３３，１６６の裏面を側面９２，９６の裏面に各々糊付けする。次に、第１底蓋片１１８を折罫線１２０で正折りし、第２底蓋片１５０を折罫線１５２で正折りし、次に第１底蓋片１１８の糊付け部１２２を折罫線１２４で、第２底蓋片１５０の糊付け部１５４を折罫線１５６で逆折りする。そして底フラップ１４０，１７４を折罫線１４２，１７６で各々正折りする。次に糊付け部１２２の裏面に糊１８２を、糊付け部１５４の裏面に糊１８４を各々塗布する。糊付片１００の表面に、糊１８６を塗布する。
【００３９】
この後、折罫線１０４を正折りする。これにより、第１底蓋片１１８の糊付け部１２２の裏面は、糊１８２により、底フラップ１４０の表面に糊付けされる。次に、折罫線１０８を正折りする。これにより、第２底蓋片１５０の糊付け部１５４の裏面は、糊１８４により、底フラップ１７４の表面に糊付けされる。このとき、糊付片１００を側面９８と底フラップ１７４との間に差し込み、糊付片１００の表面を側面９８の裏面に、糊１８６により糊付けする。これにより箱体形成片９０は折り畳み状態となり、この状態で出荷される。
【００４０】
次に、商品を収容し包装する工場等において、箱体１２と仕切部材１４を立体に組み立てる。まず、仕切部材１４は、折罫線２８，３０，３２，３４を各々９０°に正折りして四角筒体にする。このとき、中央仕切り５８は四角筒体の中心に沿って側面１８，２２に対して平行に設けられている。中央仕切り５８の側面１８側の面には、第１仕切構成部３６の連結部４８が重ねられ、側面１８に糊付けされた糊付け部４０との間に、４つの仕切片４２が、側面１８に対して直角に互いに等間隔に形成される。中央仕切り５８の側面２２側の面には、第２仕切構成部６２の連結部６６が重ねられ、側面２２に糊付けされた糊付け部７４との間に、４つの仕切片６８が、側面２２に対して直角に互いに等間隔に形成されている。これにより、箱体の内側には、中央仕切り５８の両側に各５つ、合計１０個の仕切り空間が形成される。各仕切片４２，６８は、中央仕切り５８に連続する上端の形状は略水平な直線部分を有し、この直線部分の長さＢは、一対の折罫線４４，７０の間隔Ｃの半分の長さ、つまり中央仕切り５８と側面１８，２２の間隔の中間位置よりも長く形成され、仕切り空間の中央仕切り５８と側面１８，２２の間隔の中間位置、つまり商品どうしがぶつかりやすい位置では、各仕切片４２，６８の垂直方向の長さが十分に確保されている。
【００４１】
次に箱体１２は、折罫線１０２，１０４，１０６，１０８を各々９０°に正折りして四角形の箱体にする。このとき、第１底蓋片１１８は側面９２から底フラップ１４０とともに引き起こされて折罫線１２０で直角に正折りされ、同時に第２底蓋片１５０は側面９６から底フラップ１７４とともに引き起こされて折罫線１５２で直角に正折りされる。そして、第１底蓋片１１８の端部１１８ａと、第２底蓋片１５０の端部１５０ａの三角形状に切り欠かれた部分が互いに係止されて底面を形成する。このとき、第１底蓋片１１８、立上片１２６、内底片１３０は互いに９０°に引き起こされ、内底片１３０が第１底蓋片１１８に立上片１２６の高さの間隔で平行に設けられる。また、第２底蓋片１５０、立上片１５８、内底片１６２も同様に互いに９０°に引き起こされて、内底片１６２が第２底蓋片１５０に立上片１５８の高さの間隔で平行に設けられる。
【００４２】
この後、図１，図２に示すように、組み立てた箱体１２の内側に、仕切部材１４を入れる。そして仕切部材１４の、中央仕切り５８と仕切片４２，６８で形成された仕切り空間に商品を入れる。商品は、例えばガラス瓶に入れられた医薬品等である。そして糊付け片１４４の裏面に糊１８８を塗布する。折罫線１３８，１７２で上フラップ１３６，１７０を９０°に正折りし、その後折罫線１１２で上蓋片１１０を９０°に正折りし、差込片１１４を折罫線１１６で正折りし、差込片１１４を側面９６の内側に差し込み、糊１８８により糊付け片１４４に糊付けし、封をする。
【００４３】
この緩衝機能付包装用箱１０を開封するときは、箱体１２の側面１８に設けられた透孔１４８に指を押して破断線１４６を破断する。
【００４４】
この実施形態の緩衝機能付包装用箱１０によれば、簡単な作業工程により組み立てられ、商品を個別に保護する仕切りが形成され、高い緩衝効果を得ることができ、確実に商品を保護することができる。組み立てるときはワンタッチで底部が形成され、短時間で大量に生産することができる。商品が筒状の瓶で、直径方向が互いにぶつかり破損しやすいものでも、仕切部材１４の仕切片４２，６８は、筒状の瓶の周面の垂直方向長さが十分に確保されているため、商品同士が互いに直接ぶつかることを避け、高い緩衝効果を得ることができる。緩衝機能付包装用箱１０は、箱体１２の側面９２，９４，９６，９８の内側に、仕切部材１４の側面１８，２０，２２，２４が設けられ、２重壁になり、水平方向からの衝撃に強いものとなる。箱体１２の底部も、第１底蓋片１１８、第２底蓋片１５０の内側に内底片１３０，１６２が設けられ、２重底になり、下からの衝撃に強いものとなる。仕切部材１４は箱体１２と別体であり、商品の数や大きさに合わせて仕切部材１４を変更していろいろな製品に対応することができる。
【００４５】
なお、この発明は上記実施形態に限定されるものではなく、各部材の形状や素材等、自由に変更可能である。各仕切片は高い緩衝効果を得るものであればよく、形状や大きさ、数等、適宜変更可能である。材質は、紙やプラスチックなど、自由に選択可能である。
【符号の説明】
【００４６】
１０  緩衝機能付包装用箱
１２  箱体
１４  仕切部材
１６  仕切形成片
１８，２０，２２，２４，９２，９４，９６，９８  側面
３６  第１仕切構成部
４０，７４  糊付け部
４２，６８  仕切片
４８，６６  連結部
５０，７６  糊付片
５８  中央仕切り
６２  第２仕切構成部
９０  箱体形成片
１１８  第１底蓋片
１２６，１５８  立上片
１３０，１６２  内底片
１３３，１２２，１５４，１６６  糊付け部
１４０，１７４  底フラップ
１５０  第２底蓋片
【図１】
0003170812.tif 000003
【図２】
0003170812.tif 000004
【図３】
0003170812.tif 000005
【図４】
0003170812.tif 000006